(57)【特許請求の範囲】
【請求項１】
天板及び該天板を支える脚を有する机と、該天板の下方空間に出し入れ可能な袖箱と、を備えている机システムにおいて、
共有抽斗を備え、
前記机及び前記袖箱には、それぞれ、前記共有抽斗を出し入れ可能な幅、高さ及び奥行きを有する共有抽斗空間が形成され、
前記袖箱は、前面が開口している筐体と、該筐体内を仕切る複数の仕切板と、を有し、
前記筐体内を複数の前記仕切板で仕切られて形成された複数の空間は、収納棚空間を成し、複数の該収納棚空間のうち、少なくとも一の該収納棚空間が前記共有抽斗空間も成す、
ことを特徴とする机システム。
【請求項２】
請求項１に記載の机システムにおいて、
前記机は、前記天板と平行に該天板の下方に配置された棚板と、該天板と該棚板との間の空間を仕切る仕切板と、を有し、
前記天板と前記棚板との間の空間を前記仕切板で仕切られて形成された複数の空間は、収納棚空間を成し、複数の該収納棚空間のうち、少なくとも一の収納棚空間が前記共有抽斗空間も成す、
ことを特徴とする机システム。
【請求項３】
請求項２に記載の机システムにおいて、
前記天板と前記棚板との間の空間は、複数の前記仕切板により、該天板の幅方向に仕切られて、該幅方向に並ぶ複数の収納棚空間を成し、
複数の前記収納棚空間のうち、幅方向における両側の収納棚空間が、前記共有抽斗空間を成す、
ことを特徴とする机システム。
【請求項４】
請求項２又は３に記載の机システムにおいて、
複数の前記収納棚空間は、いずれも、幅寸法が前記共有抽斗空間の幅寸法の自然数倍である、
ことを特徴とする机システム。
【請求項５】
請求項１から４のいずれか一項に記載の机システムにおいて、
前記袖箱の複数の前記仕切板のうち、少なくとも一の仕切板には、前縁の一部が後方にさがった後退部が形成され、
前記共有抽斗は、底板と、該底板の縁に沿って設けられ、互いに対向する一対の側板と、該底板の縁に設けられ、互いに対向する前板及び後板と、を有し、該共有抽斗が前記共有抽斗空間内に納まっている際に前記仕切板の前記後退部に対向する部分及び該前板が少なくとも透明である、
ことを特徴とする机システム。
【発明の詳細な説明】
【技術分野】
【０００１】
本発明は、机と、机の天板の下方空間に出し入れ可能な袖箱とを備えている机システムに関する。
【背景技術】
【０００２】
机と袖箱とを備えている机システムとしては、例えば、以下の特許文献１に記載されたものがある。
【０００３】
この机システムの机は、天板と、天板を支える両側脚板と、天板の下に配置されている机専用の抽斗と、を備えている。また、この机システムの袖箱は、筐体と、この筐体内に収まる複数の袖箱専用の抽斗と、筐体の下部に設けられているキャスタと、を備えている。
【先行技術文献】
【特許文献】
【０００４】
【特許文献１】特開平９−１４９８２０号公報
【発明の概要】
【発明が解決しようとする課題】
【０００５】
上記特許文献１に記載の机システムは、机に対して袖箱を移動させることで、文具や書類等の収納位置や収納形態を比較的自由に変えることができ、使用者の利便性を高めることができる。しかしながら、使用者とっては、文具や書類等の収納位置や収納形態をより多用な形態で変更できることが望ましい。
【０００６】
そこで、本発明は、文具や書類等の収納位置や収納形態をより多用な形態で変更できる机システムを提供することを目的とする。
【課題を解決するための手段】
【０００７】
前記目的を達成するための発明に係る机システムは、
天板及び該天板を支える脚を有する机と、該天板の下方空間に出し入れ可能な袖箱と、を備えている机システムにおいて、共有抽斗を備え、前記机及び前記袖箱には、それぞれ、前記共有抽斗を出し入れ可能な幅、高さ及び奥行きを有する共有抽斗空間が形成され、前記袖箱は、前面が開口している筐体と、該筐体内を仕切る複数の仕切板と、を有し、前記筐体内を複数の前記仕切板で仕切られて形成された複数の空間は、収納棚空間を成し、複数の該収納棚空間のうち、少なくとも一の該収納棚空間が前記共有抽斗空間も成すことを特徴とする。
【０００８】
当該机システムでは、机の下方空間に袖箱を出し入れすることで、文具や書類等の収納位置や収納形態を比較的自由に変えることができ、使用者の利便性を高めることができる。また、当該机システムでは、机と袖箱との両方に、共有抽斗を出し入れできる共有抽斗空間が形成されているので、机の共有抽斗空間に対しても、袖箱の共有抽斗空間にも、同一の共有抽斗を収めることができる。さらに、当該机システムでは、机の共有抽斗空間と袖箱の共有抽斗空間とのうち、一方の共有抽斗空間に共有抽斗を入れている状態から、他方の共有抽斗空間に共有抽斗を入れている状態に、容易に変更することができる。
さらに、当該机システムでは、袖箱の少なくとも一の収納棚空間が共有抽斗空間も成すので、この空間を文具や書籍等を直接入れておく空間として利用できると共に、共有抽斗を入れておく空間としても利用することができる。
【０００９】
ここで、前記机システムにおいて、前記机は、前記天板と平行に該天板の下方に配置された棚板と、該天板と該棚板との間の空間を仕切る仕切板と、を有し、前記天板と前記棚板との間の空間を前記仕切板で仕切られて形成された複数の空間は、収納棚空間を成し、複数の該収納棚空間のうち、少なくとも一の収納棚空間が前記共有抽斗空間も成すことが好ましい。ここで、前記天板と前記棚板との間の空間は、複数の前記仕切板により、該天板の幅方向に仕切られて、該幅方向に並ぶ複数の収納棚空間を成し、複数の前記収納棚空間のうち、幅方向における両側の収納棚空間が、前記共有抽斗空間を成してもよい。
【００１０】
当該机システムでは、少なくとも一の収納棚空間が共有抽斗空間も成すので、この空間を文具や書籍等を直接入れておく空間として利用できると共に、共有抽斗を入れておく空間としても利用することができる。
【００１１】
また、前記机システムにおいて、複数の前記収納棚空間は、いずれも、幅寸法が前記共有抽斗空間の幅寸法の自然数倍であってもよい。
【００１２】
複数の前記収納棚空間の幅寸法がいずれも共有抽斗空間の幅寸法の自然数倍であれば、各収納棚空間に、該当自然数個の共有抽斗を入れることができる。
【００１３】
また、前記机システムにおいて、前記机の前記仕切板は、前記机の前記天板と前記棚板との間の空間内で移動可能であり、該天板と該棚板とのうちの少なくとも一方の板には、該仕切板を所定の位置に拘束するための位置決め構造が設けられていてもよい。
【００１４】
当該机システムでは、仕切板を移動させることで、共有抽斗空間や収納棚空間（共有抽斗空間を除く）の位置、さらに、収納棚空間（共有抽斗空間を除く）のサイズを変えることができる。
【００１７】
また、前記机システムにおいて、前記袖箱の複数の前記仕切板のうち、少なくとも一の仕切板には、前縁の一部が後方にさがった後退部が形成され、前記共有抽斗は、底板と、該底板の縁に沿って設けられ、互いに対向する一対の側板と、該底板の縁に設けられ、互いに対向する前板及び後板と、を有し、該共有抽斗が前記共有抽斗空間内に納まっている際に前記仕切板の前記後退部に対向する部分及び該前板が少なくとも透明であってもよい。
【００１８】
当該机システムでは、共有抽斗の透明な前板を介して、この共有抽斗の内容物を視認することができる。さらに、仕切板の上に共有抽斗が載っている場合、仕切板の後退部、及びこの後退部に対向する共有抽斗の透明部分を介して、外部からの光が下方の抽斗内に入り込むので、この下方の抽斗の内容物の視認性をより高めることができる。
【００１９】
また、仕切板の上に書類等が置かれている場合、この仕切板の後退部より形成されている凹みを介して、書類の下面に手を接触させることができ、上下から書類等を挟んで、書類を袖箱から引き出すことができる。
【発明の効果】
【００２０】
本発明では、机の下方空間に袖箱を出し入れすることで、文具や書類等の収納位置や収納形態を比較的自由に変えることができ、使用者の利便性を高めることができる。また、当該机システムでは、机と袖箱との両方に、共有抽斗を出し入れできる共有抽斗空間が形成されているので、机の共有抽斗空間に対しても、袖箱の共有抽斗空間にも、同一の共有抽斗を収めることができる。さらに、当該机システムでは、机の共有抽斗空間と袖箱の共有抽斗空間とのうち、一方の共有抽斗空間に共有抽斗を入れている状態から、他方の共有抽斗空間に共有抽斗を入れている状態に、容易に変更することができる。
【００２１】
よって、本発明によれば、文具や書類等の収納位置や収納形態をより多用な形態で変更できる。
【図面の簡単な説明】
【００２２】
【図１】本発明に係る第一実施形態における机システムの斜視図である。
【図２】本発明に係る第一実施形態における机の正面図である。
【図３】本発明に係る第一実施形態における机（天板の上昇時）の側面図である。
【図４】本発明に係る第一実施形態における机（天板の下降時）の側面図である。
【図５】本発明に係る第一実施形態における机の平面図である。
【図６】図２におけるＶI断面図である。
【図７】本発明に係る第一実施形態における袖箱の正面図である。
【図８】本発明に係る第一実施形態における袖箱の側面図である。
【図９】本発明に係る第一実施形態における袖箱の横仕切板の平面図である。
【図１０】本発明に係る第一実施形態における共有抽斗の斜視図である。
【図１１】本発明に係る第一実施形態における横仕切板及び変形例の共有抽斗の斜視図である。
【図１２】本発明に係る第一実施形態における袖箱及び収納箱の斜視図である。
【図１３】本発明に係る第一実施形態における袖箱及び仕切枠の斜視図である。
【図１４】本発明に係る第二実施形態における机システムの斜視図である。
【発明を実施するための形態】
【００２３】
以下、本発明に係る机システムの実施形態について説明する。
【００２４】
「第一実施形態」
まず、本発明に係る机システムの第一実施形態について、図１〜図１３を用いて説明する。
【００２５】
本実施形態の机システムは、図１に示すように、机１０と、机１０の下方空間に出し入れ可能な袖箱４０と、机１０や袖箱４０に配置できる共有抽斗６０と、を備えている。なお、以下の説明で、上、下、前、後、右、左は、いずれも机１０や袖箱４０を設置面に設置している状態での向きを示している。すなわち、「下」は、机１０を基準にして設置面側の向きを示し、「上」は、設置面と反対側の向きを示している。また、「前」は、机１０や袖箱４０を使用するユーザ側の向きを示し、「後」は、机１０や袖箱４０を基準にして、この机１０や袖箱４０を使用するユーザ側と反対側の向きを示す。また、「右」、「左」は、机１０や袖箱４０を使用している状態でのユーザの右、左を示す。さらに、以下では、前後方向を奥行き方向とし、左右方向を幅方向とする。
【００２６】
机１０は、図１〜図５に示すように、矩形状の板で形成され、その短辺を奥行き方向とする天板１２と、矩形状の板で形成され、天板１２の後部側の下方に配置されている幕板１５と、矩形状の板で形成され、天板１２と平行に設けられている棚板１８と、天板１２及び棚板１８を支える左右一対の脚２１と、を備えている。
【００２７】
机１０の脚２１は、矩形状の板で形成され、天板１２の両側の下面に互いに平行に固定されている側板２２と、各側板２２に取り付けられている脚板２５と、を有している。脚板２５は、図６に示すように、矩形状の板で形成され、側板２２の奥行き幅とほぼ同じ奥行き幅の矩形状の板である脚本体板２６と、この脚本体板２６の前縁２７に固定され、側板２２の前縁２３に摺接するフック部２９と、を有している。
【００２８】
図２に示すように、左脚２１の脚板２５は、左脚２１の側板２２よりも左側に位置し、且つこの側板２２の左側面に接している。右脚２１の脚板２５は、右脚２１の側板２２よりも右側に位置し、且つこの側板２２の右側面に接している。
【００２９】
脚板２５の脚本体板２６には、左右方向に貫通するピン孔２８が形成されている。また、側板２２には、左右方向に貫通する複数のピン孔２４が形成されている。側板２２の複数のピン孔２４は、上下方向に並んでいる。脚板２５と側板２２とは、それぞれのピン孔２８，２４にピン３０を挿通させることで、両者の上下方向における相対位置関係が固定される。このため、図３及び図４に示すように、側板２２の上下方向に並んでいる複数のピン孔２４のうち、いずれのピン孔２４にピン３０を通すかにより、脚板２５に対する側板２２の上下方向の位置、言い換えると、側板２２に固定されている天板１２の上下方向の位置を調節することができる。
【００３０】
棚板１８の両側縁は、それぞれ、左右の側板２２に固定されている。天板１２と棚板１８との間であって、天板１２及び棚板１８の後部であって、幕板１５よりやや前方の箇所は、矩形状の板である後板１４で塞がれている。この後板１４の両側縁も、それぞれ、左右の側板２２に固定されている。
【００３１】
天板１２と棚板１８と後板１４と左右の側板２２とで囲まれた空間は、左右方向に互いに平行に並ぶ二枚の仕切板１９により、三つの空間に仕切られている。各空間は、いずれも、文具や書籍等を収納できる収納棚空間Ｓｅ，Ｓｆ，Ｓｅを成している。
【００３２】
袖箱４０は、図１、図７及び図８に示すように、前方が開口している直方体形状の筐体４１と、この筐体４１内を仕切る複数の仕切板４６，４８と、筐体４１の下部に設けられているキャスタ４９と、筐体４１内に配される袖箱専用の袖箱抽斗５０と、を有している。
【００３３】
袖箱４０の筐体４１とキャスタ４９とを合わせた高さ寸法は、机１０の天板１２が最も低い状態での机１０の設置面から棚板１８までの高さ寸法よりも短い。このため、袖箱４０は、机１０の棚板１８の下方空間に出し入れできる。
【００３４】
袖箱４０の筐体４１は、矩形状の板で形成され、上下方向で互いに対向している天板４２及び底板４３と、矩形状の板で形成され、左右方向で互いに対向している一対の側板４４と、これらの板で囲まれた空間の後端を塞ぐ背面板４５と、を有している。
【００３５】
複数の仕切板４６，４８のうち、一の仕切板４８は、矩形状の板で形成され、筐体４１内にその側板４４に平行に配置されて、筐体４１内の空間を左右に仕切る縦仕切板を成している。また、複数の仕切板４６，４８のうち、残りの仕切板４６は、矩形状の板で形成され、縦仕切板４８により仕切られた筐体４１内の左右の空間のうち、一方の空間内に、天板４２と平行に配置されて、この一方の空間を上下に仕切る横仕切板を成している。縦仕切板４８及び複数の横仕切板４６で仕切られた筐体４１内の各空間は、いずれも、文具や書籍等を収納できる収納棚空間Ｓａ，Ｓｂ，Ｓｃを成している。
【００３６】
横仕切板４６には、図８及び図９に示すように、その前縁中で左右方向の中央部が後方のさがった後退部４７が形成されている。
【００３７】
共有抽斗６０及び袖箱抽斗５０は、いずれも、透明な樹脂で形成されている。共有抽斗６０及び袖箱抽斗５０は、図１０に示すように、いずれも、矩形状の板で形成された底板６１，５１と、矩形状の板で形成され、底板６１，５１の側縁に沿って設けられ互いに対向する一対の側板６２，５２と、矩形状の板で形成され、底板６１，５１の前縁、後縁に沿って設けられ、互いに対向する前板６３，５３及び後板６４，５４と、前板６３，５３に固定されている取っ手６５，５５と、を有している。
【００３８】
図７に示すように、共有抽斗６０の一対の側板６２の相互間隔である共有抽斗６０の幅寸法ｗと袖箱抽斗５０の一対の側板５２の相互間隔である袖箱抽斗５０の幅寸法ｗは、同じである。また、図８に示すように、共有抽斗６０の前板６３と後板と６４の相互間隔である共有抽斗６０の奥行き寸法ｄと袖箱抽斗５０の前板５３と後板５４との相互間隔である袖箱抽斗５０の奥行き寸法ｄも、同じである。すなわち、共有抽斗６０の底板６１と袖箱抽斗５０の底板５１とは、幅寸法及び奥行き寸法が同一である。一方、共有抽斗６０の側板６２、前板６３及び後板６４の高さ寸法ｈは、袖箱抽斗５０の側板５２、前板５３及び後板５４の高さ寸法ｈ３よりも短い。
【００３９】
袖箱４０の複数の収納棚空間Ｓａ，Ｓｂ，Ｓｃのうち、複数の横仕切板４６のうちの最も下に配置されている横仕切板４６と、縦仕切板４８と、筐体４１の一方の側板４４と、筐体４１の底板４３とで囲まれて形成される収納棚空間Ｓｂは、専ら袖箱抽斗５０を出し入れできる袖箱抽斗空間も成している。また、最も下に配置されている横仕切板４６と、縦仕切板４８と、筐体４１の一方の側板４４と、筐体４１の天板４２とで囲まれた空間が複数納の横仕切板４６で仕切られて形成されている収納棚空間Ｓａは、つまり、袖箱抽斗空間Ｓｂの上方の複数の収納棚空間Ｓａは、共有抽斗６０を出し入れできる共有抽斗空間も成している。
【００４０】
図７に示すように、共有抽斗空間Ｓａの幅寸法Ｗ２は、袖箱抽斗空間Ｓｂの幅寸法Ｗ２と同じで、共有抽斗６０の幅寸法（＝袖箱抽斗５０の幅寸法）ｗに数ミリ加えた寸法である。また、共有抽斗空間Ｓａの高さ寸法Ｈ２は、共有抽斗６０の高さ寸法ｈに数ミリ加えた寸法である。また、袖箱抽斗空間Ｓｂの高さ寸法Ｈ３は、袖箱抽斗５０の高さ寸法ｈ３の数ミリ加えた寸法で、共有抽斗空間Ｓａの高さ寸法Ｈ２よりも長い。また、図８に示すように、共有抽斗空間Ｓａの奥行き寸法Ｄ２は、袖箱抽斗空間Ｓｂの奥行き寸法Ｄ２と同じで、共有抽斗６０の奥行き寸法（＝袖箱抽斗５０の奥行き寸法）ｄに数ミリ加えた寸法である。
【００４１】
図３に示すように、机１０の三つの収納棚空間Ｓｅ，Ｓｆ，Ｓｅの奥行き寸法Ｄ１は、同一で、共有抽斗６０の奥行き寸法ｄに数ミリ加えた寸法である。これら三つの収納棚空間Ｓｅ，Ｓｆ，Ｓｅの高さ寸法Ｈ１は、図２に示すように、同一で、共有抽斗６０の高さ寸法に数ミリ加えた寸法である。また、これら三つの収納棚空間Ｓｅ，Ｓｆ，Ｓｅのうち、左右方向における両側の収納棚空間Ｓｅ，Ｓｅの幅寸法Ｗ１は、共有抽斗６０の幅寸法ｗに数ミリ加えた寸法である。すなわち、両側の収納棚空間Ｓｅ，Ｓｅの各寸法W１，Ｈ１，Ｄ１も、袖箱４０の共有抽斗空間Ｓａと同様、共有抽斗６０を出し入れできる共有抽斗空間も成している。一方、机１０の三つの収納棚空間Ｓｅ，Ｓｆ，Ｓｅのうち、中央の収納棚空間Ｓｆの幅寸法Ｗ０は、共有抽斗空間Ｓｅの幅寸法W１の二倍近い寸法である。
【００４２】
袖箱４０には、図１２に示すように、その天板４２上に収納箱７０を取り付けることができる。この収納箱７０は、前方が開口している直方体形状の筐体７１と、この筐体７１内に出し入れ可能な抽斗７２と、を有している。収納箱７０の幅寸法は、袖箱４０の幅寸法とほぼ等しく、この収納箱７０を袖箱４０の天板４２上に載せた際に、袖箱４０の一対の側板４３と収納箱７０の一対の側板とが面一になる寸法になっている。この収納箱７０の奥行き寸法は、袖箱４０の奥行き寸法とほぼ等しい。なお、収納箱７０は、上記構造に限定されるものではなく、例えば、上方が開口している直方体の筐体と、この上方の開口を塞ぐ蓋と、を有するものであってもよい。
【００４３】
袖箱４０には、図１３に示すように、さらに、その天板４２上に仕切枠８０を取り付けることができる。この仕切枠８０は、矩形状の板で形成され、互いに対向する一対の側板８１と、矩形状板で形成される背面板８２と、を有している。一対の側板８１は、その後端部で背面板８２により連結されている。一対の側板８１の相互間隔は、袖箱４０の天板４２の幅寸法にほぼ等しく、この仕切枠８０を袖箱４０の天板４２上に載せた際に、袖箱４０の一対の側板４３と仕切枠８０の一対の側板８１とが面一になる寸法になっている。この仕切枠８０の奥行き寸法、つまり、側板８１の奥行き方向の寸法は、袖箱４０の天板４２の奥行き寸法よりも短い。
【００４４】
この仕切枠８０を取り付けた袖箱４０の上部空間は、上方及び前方に開口を有する収納空間を形成することになる。この収納空間は、例えば、ランドセル等の鞄や、大型の書籍を収納する空間として利用することができる。
【００４５】
以上の仕切枠８０及び収納箱７０は、いずれも、図１２及び図１３に示すように、連結具７９で袖箱４０の天板１２上に取り付けることができる一方で、一旦取り付けた後に取り外すことができる。連結具７９は、例えば、ダボである。
【００４６】
なお、ここでは、連結具７９の一例としてダボを例示しているが、例えば、特開２０００−１３５１２４号に記載されているもののように、頭付きピンと、頭付きピンの頭部に係合可能な埋込み係合具と、を有するものであってもよい。この頭付きピンは、軸部と、この軸部の一方の端部に形成され、軸部の径よりも大きな径の頭部とを有する。埋込み係合具は、外形が円柱状を成し、頭付きピンの頭部に係合可能なフック部が内部に形成されているものである。頭付きピンは、例えば、袖箱４０の天板４２に、頭部が露出するように埋め込まれる。また、埋込み係合具は、例えば、仕切枠８０の側板８１内に回転可能に埋め込まれる。袖箱４０に仕切枠８０を取り付ける際には、袖箱４０の天板４２に取り付けられた頭付きピンの頭部を、仕切枠８０に取り付けられた埋込み係合具のフック部の開口に入れた後、この埋込み係合具を回転させて、埋込み係合具のフック部と頭付きピンの頭部とを係合させる。これにより、袖箱に仕切枠を取り付けることができる。また、袖箱から仕切枠を外す際には、埋込み係合具を取付時とは逆方向に回転させて、埋込み係合具のフック部と頭付きピンの頭部との係合を解除する。これにより、袖箱から仕切枠を取り外すことができる。
【００４７】
以上、本実施形態では、机１０の下方空間に袖箱４０を出し入れすることで、文具や書類等の収納位置や収納形態を比較的自由に変えることができ、使用者の利便性を高めることができる。
【００４８】
また、本実施形態では、机１０の複数の収納棚空間Ｓｅ，Ｓｆ，Ｓｅは、いずれも、ここに文具や書籍等を直接入れる空間として利用できると共に、両側の収納棚空間Ｓｅ，Ｓｅは、共有抽斗空間を成し、共有抽斗６０を入れておく空間としても利用することができる。同様に、本実施形態では、袖箱４０の複数の収納空間Ｓａ,Ｓｂ,Ｓｃも、ここに文具や書籍等を直接入れる空間として利用できると共に、一部の収納棚空間Ｓａは、共有抽斗空間を成し、共有抽斗６０を入れておく空間としても利用することができる。さらに、本実施形態では、机１０の共有抽斗空間Ｓｅと袖箱４０の共有抽斗空間Ｓａとのうち、一方の共有抽斗空間Ｓａに共有抽斗６０を入れている状態から、他方の共有抽斗空間Ｓｅに共有抽斗６０を入れている状態に、容易に変更することができる。また、本実施形態では、袖箱４０に、仕切枠８０や収納箱７０を取り付けることができるので、袖箱４０の上部にも別途新たな収納空間を形成することができる。
【００４９】
よって、本実施形態では、文具や書類等の収納位置や収納形態をより多用な形態で変更できる。
【００５０】
また、本実施形態では、共有抽斗６０及び袖箱抽斗５０は、いずれも透明な樹脂で形成されているため、それぞれが共有抽斗空間Ｓａや袖箱抽斗空間Ｓｂに入っている状態でも、共有抽斗６０及び袖箱抽斗５０の前板６３，５３を介して、内部に収納されているものが何であるかを認識することができる。さらに、本実施形態の袖箱４０の横仕切板４６には、その前縁中の中央部が後方にさがった後退部４７が形成されているため、この横仕切板４６の下方の抽斗空間内に抽斗６０，５０が入っている場合、図８及び図１１に示すように、この横仕切板４６の後退部４７により形成される凹みを介して、外部からの光が抽斗６０，５０内に入り込むので、この抽斗６０，５０の内容物の視認性をより高めることができる。
【００５１】
なお、抽斗６０，５０の内容物の視認性を確保しつつ、この視認性を高めるためには、共有抽斗６０の全体が透明である必要はなく、例えば、図１１に示すように、共有抽斗６０の前板６３が透明であると共に、この共有抽斗６０を共有抽斗空間Ｓａに収めた際に横仕切板４６の後退部４７により形成される凹部と対向する部分６９が透明であればよく、その他の部分は不透明であってもよい。このように不透明部分を設け、この不透明部分の強度を高めることで、共有抽斗６０の内容物の視認性を確保しつつ、共有抽斗６０の強度を高めることができる。
【００５２】
また、本実施形態の袖箱４０の横仕切板４６には、前述したように、その前縁中の中央部が後方にさがった後退部４７が形成されているため、この横仕切板４６の上に書類等が置かれている場合、この横仕切板４６の後退部４７の凹みを介して、書類の下面に手を接触させることができ、上下から書類等を挟んで、書類を袖箱４０から引き出すことができる。
【００５３】
「第二実施形態」
次に、本発明に係る机システムの第二実施形態について、図１４を用いて説明する。
【００５４】
本実施形態の机システムも、第一実施形態の机システムと同様、机１０ａと袖箱４０と共有抽斗６０とを備えている。
【００５５】
本実施形態の袖箱４０及び共有抽斗６０は、第一実施形態と同一のものである。また、本実施形態の机１０ａも、基本的には、第一実施形態の机１０と同じである。但し、本実施形態は、天板１２ａ及び棚板１８ａの幅寸法が第一実施形態のものよりも長い点で、第一実施形態と異なっている。
【００５６】
天板１２ａと棚板１８ａと左右の側板２２とで囲まれた空間は、第一実施形態と同様、左右方向に互いに平行に並ぶ二枚の仕切板１９により、三つの空間に仕切られている。三つの空間のうち、左右方向の両側の空間は、第一実施形態と同様、収納棚空間Ｓｅを成すと共に、共有抽斗空間も成し、左右方向の中央の空間は、収納棚空間Ｓｇを成している。
【００５７】
机１０ａの共有抽斗空間Ｓｅの各寸法は、第一実施形態の供給抽斗空間Ｓｅの対応寸法と同じ寸法である。一方、机１０ａの中央の収納棚空間Ｓｇは、高さ寸法及び奥行き寸法が第一実施形態の中央の収納棚空間Ｓｆの対応寸法と同じであるものの、幅寸法は、共有抽斗空間Ｓｅの幅寸法の自然数倍、具体的には３倍の寸法である。
【００５８】
机１０ａの二枚の仕切板１９は、いずれも、その設置位置を変えることができる。机１０ａの天板１２ａと棚板１８ａとのうち、少なくとも一方の板には、一方の側板２２から共有抽斗空間Ｓｅの１倍、２倍、３倍、４倍の位置に、仕切板４６，４８を拘束する位置決め構造９１が設けられている。この位置決め構造９１は、例えば、天板１２ａと棚板１８ａとのうち、少なくとも一方に形成され、奥行き方向に延び且つ仕切板１９の厚さ相当の幅の溝であってもよいし、天板１２ａと棚板１８ａとのうち、少なくとも一方に設けられ、仕切板１９の厚さ相当の間隔があけられた２つの部材であってもよい。このような位置決め構造９１の場合、溝又は２つの部材の間に仕切板１９を嵌め込むことで、仕切板１９の位置を拘束することができる。
【００５９】
以上、本実施形態は、机１０ａ、袖箱４０及び共有抽斗６０が第一実施形態と基本的に同一のものであため、本実施形態も、第一実施形態と同様の効果を得ることができる。
【００６０】
さらに、本実施形態では、机１０ａの三つの収納棚空間Ｓｅ，Ｓｇ，Ｓｅのうち、中央の収納棚空間Ｓｇの幅寸法が、共有抽斗空間でもある両側の収納棚空間Ｓｅ，Ｓｅの自然数倍の幅であるため、この中央の収納棚空間Ｓｇに、共有抽斗６０を該当自然数個入れることができる。
【００６１】
また、本実施形態の天板１２ａの幅寸法が第一実施形態の天板１２の幅寸法よりの長いため、例えば、天板１２ａの下方空間中で、左右方向の中央部に袖箱４０を配置することで、袖箱４０を基準にして、左右に部分をそれぞれ異なる人の利用領域にすることができる。このため、例えば、一つの机１０ａを二人兄弟で利用する場合でも、各人の占有領域を確保することができる。しかも、この机１０ａは、天板１２ａの高さを変えることができるので、将来的には、二人兄弟のうちの一人の専用の机１０ａとしても利用することができる。
【００６２】
なお、以上の実施形態の机１０，１０ａは、いずれも、机１０，１０ａの一対の側板２２相互を棚板１８，１８ａで連結し、左右方向で、一対の側板２２相互間の全体を収納棚空間にしているが、棚板１８，１８ａの一方の側端が一方の側板２２に接し、他方の側端が他方の側板２２に接触しない幅寸法の短い棚板を用い、天板１２ａとこの短い棚板の間の空間を収納棚空間にしてもよい。
【００６３】
また、以上の実施形態の袖箱４０には、複数の共有抽斗空間Ｓａと、袖箱抽斗空間Ｓｂと、専ら収納棚として利用される収納棚空間Ｓｃとが設けられているが、袖箱４０には、少なくとも共有抽斗空間Ｓａが設けられていればよく、その他の空間に関しては、袖箱４０の用途や利用者等に応じて適宜設けてもよい。
【符号の説明】
【００６４】
１０，１０ａ：机、１２：天板、１８：棚板、１９：仕切板、２１：脚、２２：側板、２５：脚板、４０：袖箱、４１：筐体、４６：横仕切板、４７：後退部、４８：縦仕切板、４９：キャスタ、５０：袖箱抽斗、６０：共有抽斗、５３，６３：（抽斗の）前板、７０：収納箱、７９：連結具、８０：仕切枠、９１：位置決め構造
【図１】
0005835974.tif 000002
【図２】
0005835974.tif 000003
【図３】
0005835974.tif 000004
【図４】
0005835974.tif 000005
【図５】
0005835974.tif 000006
【図６】
0005835974.tif 000007
【図７】
0005835974.tif 000008
【図８】
0005835974.tif 000009
【図９】
0005835974.tif 000010
【図１０】
0005835974.tif 000011
【図１１】
0005835974.tif 000012
【図１２】
0005835974.tif 000013
【図１３】
0005835974.tif 000014
【図１４】
0005835974.tif 000015